(57)【要約】  制御方法及制御システムは、少なくとも二つのコイルを有する、一つの電気モータを含む家庭用電気器具のために説明される。電気モータのコイルは、入力電圧１に起因して、直列又は並列のいずれかに結合され、電気モータに同時に接続される電気負荷５のセットの装置に対する電圧源として用いられる。さらに、本発明は、電気モータのコイルのうちの一つが電気負荷５のセットの装置を給電するための電圧源として用いられる家庭用電気器具の電気負荷５のセットの給電装置に対する少なくとも二つのコイルを有する電気モータの利用方法も示す。最後に、本発明は、規格に応じて給電のための制御システム、制御方法、又は電気モータの利用方法を含む家庭用電気器具を記述する。【選択図】図４
2014532389.tif 000002
【特許請求の範囲】
【請求項１】
家庭用電気器具の制御システムであって、
一つの入力電圧（１）と、
一つの処理装置（３）と、
出力スイッチ（４）の一つのセットと、
動作電圧を有する電気負荷（５）の一つのセットと、
少なくとも二つのコイルを有する一つの電気モータと、
を含み、
前記処理装置（３）は、前記入力電圧（１）を検出し、前記電気負荷（５）のセットの装置の起動及び前記電気モータの起動を実行するために、前記出力スイッチ（４）のセットを作動させるように構成され、
前記処理装置（３）は、前記処理装置（３）が検出した前記入力電圧（１）を、前記電気モータのコイルの分圧を用いて前記電気負荷（５）のセットの装置の動作電圧に調節するように構成されることを特徴とする家庭用電気器具の制御システム。
【請求項２】
前記処理装置（３）は、前記の検出した入力電圧（１）が装置の動作電圧の約２倍であるときには直列に、前記の検出した入力電圧（１）がおおよそ装置の動作電圧の値であるときには並列に、前記電気モータのコイルを結合することを特徴とする請求項１に記載の家庭用電気器具の制御システム。
【請求項３】
前記処理装置（３）は、前記の検出した入力電圧が約２２０Ｖであるときには直列に、前記の検出した入力電圧（１）が約１１０Ｖであるときには並列に、前記電気モータのコイルを結合することを特徴とする請求項１に記載の家庭用電気器具の制御システム。
【請求項４】
前記処理装置（３）は、９０Ｖ〜２６０Ｖの入力電圧の範囲内で動作するように構成されることを特徴とする請求項１〜３のいずれか一項に記載の家庭用電気器具の制御システム。
【請求項５】
前記処理装置（３）は、前記入力電圧（１）を、前記電気負荷（５）のセットの装置のうちのそれぞれに９０Ｖ〜１２７Ｖの動作電圧に調節するために、前記出力スイッチ（４）のセットを作動させることを特徴とする請求項１〜４のいずれか一項に記載の家庭用電気器具の制御システム。
【請求項６】
前記電気負荷（５）のセットの装置は、前記電気モータのコイルの接続に直接電気的に結合されることを特徴とする請求項１〜５のいずれか一項に記載の家庭用電気器具の制御システム。
【請求項７】
家庭用電気器具の制御システムであって、
一つの入力電圧（１）と、
一つの処理装置（３）と、
出力スイッチ（４）の一つのセットと、
動作電圧を有する電気負荷（５）の一つのセットと、
少なくとも二つのコイルを有する一つの電気モータと、
を含み、
前記電気負荷（５）のセットの装置は、前記電気モータのコイルのうちの一つに電気的に結合され、コイルを電圧源として起動のために使用することを特徴とする家庭用電気器具の制御システム。
【請求項８】
前記処理装置（３）は、前記入力電圧（１）を検出し、前記の検出した入力電圧（１）が装置の動作電圧の値の約２倍であるときには直列に、前記の検出した入力電圧（１）がおおよそ装置の動作電圧の値であるときには並列に、前記電気モータのコイルを結合するために、出力スイッチ（４）のセットを作動させるように構成されることを特徴とする請求項７に記載の家庭用電気器具の制御システム。
【請求項９】
前記処理装置（３）は、前記の検出した入力電圧（１）が約２２０Ｖであるときには直列に、前記の検出した入力電圧（１）が約１１０Ｖであるときには並列に、前記電気モータのコイルを結合することを特徴とする請求項７又は８に記載の家庭用電気器具の制御システム。
【請求項１０】
前記処理装置（３）は、９０Ｖ〜２６０Ｖの入力電圧の範囲内で動作するように構成されることを特徴とする請求項７〜９のいずれか一項に記載の家庭用電気器具の制御システム。
【請求項１１】
前記処理装置（３）は、前記入力電圧（１）を、前記電気負荷（５）のセットの装置のそれぞれに９０Ｖ〜１２７Ｖの動作電圧に調節するために、出力スイッチ（４）のセットを作動させることを特徴とする請求項７〜１０のいずれか一項に記載の家庭用電気器具の制御システム。
【請求項１２】
少なくとも二つのコイルを有する少なくとも一つの電気モータを含む電気負荷（５）のセットを有する家庭用電気器具の制御方法であって、
一つの入力電圧（１）を検出するステップと、
前記電気負荷（５）のセットの装置の動作電圧を規定するステップと、
を含み、
前記電気負荷（５）のセットの装置に対して前記の検出した入力電圧（１）を調節するステップと、
前記電気負荷（５）のセットの装置の起動及び前記電気モータの起動を実行するステップと、
前記入力電圧（１）を、前記電気モータのコイルの分圧を用いて前記電気負荷（５）の装置の動作電圧に調節するステップと、
を含むことを特徴とする家庭用電気器具の制御方法。
【請求項１３】
前記実行するステップは、前記の検出した入力電圧（１）が装置の動作電圧の値の約２倍であるときには直列に、前記の検出した入力電圧（１）がおおよそ装置の動作電圧の値であるときには並列に、前記電気モータのコイルを結合することを特徴とする請求項１２に記載の家庭用電気器具の制御方法。
【請求項１４】
前記実行するステップは、前記の検出した入力電圧（１）が約２２０Ｖのときには直列に、前記の検出した入力電圧（１）が約１１０Ｖのときには並列に、前記電気モータのコイルを結合することを特徴とする請求項１２に記載の家庭用電気器具の制御方法。
【請求項１５】
前記実行するステップは、９０Ｖ〜１２７Ｖの範囲の入力電圧（１）で動作することを特徴とする請求項１３又は１４に記載の家庭用電気器具の制御方法。
【請求項１６】
前記実行するステップは、前記入力電圧（１）を、前記電気負荷（５）のセットの装置のそれぞれに９０Ｖ〜１２７Ｖの動作電圧に調節するために動作することを特徴とする請求項１３〜１５のいずれか一項に記載の家庭用電気器具の制御方法。
【請求項１７】
少なくとも二つのコイルを有する少なくとも一つの電気モータを含む電気負荷（５）のセットを有する家庭用電気器具の制御方法であって、
一つの入力電圧（１）を検出するステップと、
前記電気負荷（５）のセットの装置の動作電圧を規定するステップと、
を含み、
前記電気負荷（５）のセットの装置に対して前記の検出した入力電圧（１）を調節するステップと、
前記電気負荷（５）のセットの装置を、前記電気モータのコイルのコンセントに結合するステップと、
前記電気モータのコイルのうちの一つをこれらの装置の起動のための電圧源として使用するように動作するステップを含むことを特徴とする家庭用電気器具の制御方法。
【請求項１８】
前記結合するステップは、前記の検出した入力電圧（１）が装置の動作電圧の値の約２倍であるときには直列に、前記の検出した入力電圧（１）がおおよそ装置の動作電圧の値に相当するときには並列に、前記電気モータのコイルを結合することを特徴とする請求項１７に記載の家庭用電気器具の制御方法。
【請求項１９】
前記結合するステップは、前記の検出した入力電圧（１）が約２２０Ｖであるときには直列に、前記の検出した入力電圧（１）が約１１０Ｖであるときには並列に、前記電気モータのコイルを結合することを特徴とする請求項１７に記載の家庭用電気器具の制御方法。
【請求項２０】
前記結合するステップは、９０Ｖ〜２６０Ｖの範囲の入力電圧（１）で動作することを特徴とする請求項１８又は１９に記載の家庭用電気器具の制御方法。
【請求項２１】
前記結合するステップは、前記入力電圧（１）を、前記電気負荷（５）のセットの装置のそれぞれに９０Ｖ〜１２７Ｖの動作電圧に調節するために動作することを特徴とする請求項１８〜２０のいずれか一項に記載の家庭用電気器具の制御方法。
【請求項２２】
家庭用電気器具の電気負荷（５）のセットの給電装置の少なくとも二つのコイルを有する電気モータの利用方法であって、前記電気モータのコイルのうちの一つは、前記電気負荷（５）のセットの装置の給電のための電圧源として用いられることを特徴とする利用方法。
【請求項２３】
家庭用電気器具は、入力電圧（１）及び前記入力電圧（１）を検出する手段を含み、
前記の検出した入力電圧（１）が装置の動作電圧の値の約２倍であるときには直列に、前記の検出した入力電圧（１）がおおよそ装置の動作電圧の値であるときには並列に、前記電気モータのコイルを結合することを特徴とする請求項２２に記載の家庭用電気器具の給電装置の電気モータの利用方法。
【請求項２４】
家庭用電気器具は、入力電圧（１）及び前記入力電圧（１）を検出する手段を含み、
前記の検出した入力電圧（１）が約２２０Ｖであるときには直列に、前記の検出した入力電圧（１）が１１０Ｖであるときには並列に、前記電気モータのコイルを結合することを特徴とする請求項２２に記載の家庭用電気器具の給電装置の電気モータの利用方法。
【請求項２５】
９０Ｖ〜２６０Ｖの範囲の前記入力電圧（１）で動作することを特徴とする請求項２３又は２４に記載の家庭用電気器具の給電装置の電気モータの利用方法。
【請求項２６】
前記入力電圧（１）を、前記電気負荷（５）のセットの装置のそれぞれに９０Ｖ〜１２７Ｖの動作電圧に調節するために動作することを特徴とする請求項２３〜２５のいずれか一項に記載の家庭用電気器具の給電装置の電気モータの利用方法。
【請求項２７】
請求項１〜１１のいずれか一項に記載の制御システム、請求項１２〜２１のいずれか一項に記載の制御方法、又は請求項２２〜２６のいずれか一項に記載の給電のための電気モータの利用方法を含むことを特徴とする家庭用電気器具。
【請求項２８】
冷蔵庫、冷凍庫、空調装置、又は洗濯機であることを特徴とする請求項２３に記載の家庭用電気器具。
【発明の詳細な説明】
【技術分野】
【０００１】
本発明は、少なくとも二つのコイルを有する電気モータを有する家庭用電気器具、電気モータのコイルを用いて入力電圧を制御するための方法及びシステム、家庭用電気器具の給電装置の電気モータの利用方法に関する。電気モータは、冷蔵庫、冷凍庫、空調装置又は洗濯機の圧縮器（ｃｏｍｐｒｅｓｓｏｒ）で用いられる誘導モータ（ｉｎｄｕｃｔｉｏｎ  ｍｏｔｏｒ）であることが好ましい。
【背景技術】
【０００２】
現在、いくつかの国は、各国で異なる電圧レベルの電力を発電及び分電するとき、相異する。したがって、コンピュータ、テレビ、ラジオ等のほとんどの電子装置は、特定の電圧に適合する実績（ｐｅｒｆｅｃｔ  ｐｅｒｆｏｒｍａｎｃｅ  ａｔ  ｓｐｅｃｉｆｉｃ  ｖｏｌｔａｇｅ）のために、いくつかの入力電圧の調節を可能にする自動電圧制御を含むデュアルボルテージの特徴（ｄｕａｌ  ｖｏｌｔａｇｅ  ｆｅａｔｕｒｅ）を有する。この特徴は、家庭用電気器具の分野ではまだ知られておらず、家庭用電気器具のほとんどが動作するために電気モータを必要とすると、電力及び制御等の要因（ｆａｃｔｏｒ）が原因で、最新技術によって限定される。
【０００３】
この点において、デュアルボルテージで動作できる、この種の少数の製品は、鍵を回すエンドユーザ（ｆｉｎａｌ  ｕｓｅｒ）によって手動でオンオフされる。それは、動作のための負荷におけるコイルの構成を通常修正する。しかしながら、少数のユーザは、これらの作業に特定の知識を有し、装置の保護レベルに依存して、装置を焦がすこと、又は、機能の一部を損失すること、これらユーザに対する障害及びリスクをもたらす機能的な誤りという結果に頻繁になる。
【０００４】
これらの障害を避け、ユーザ保護を向上させるために、保証サービスを必要とする不必要な連絡を避けるだけでなく、イメージ損失を減らすことは、製品のメーカーと関連する。装置の動作の許容レベルに対する入力電圧の自動変更は、必須の実務（ｍａｄａｔｏｒｙ  ｐｒａｃｔｉｃｅｓ）になる。
【０００５】
さらに、単相誘導モータ（ｓｉｎｇｌｅ−ｐｈａｓｅ  ｉｎｄｕｃｔｉｏｎ  ｍｏｔｏｒｓ）は、簡単さ、剛性、及び高い性能に起因して冷蔵庫に広く用いられている。単相誘導モータは、冷蔵庫、冷凍庫、空調装置、冷蔵庫等のいくつかの家庭用電気器具に適用される。誘導モータは、誘導モータが（起動（ｓｔａｒｔｕｐ）又はギヤ（ｇｅａｒ）で）見つかる状態のために選択的に用いられる二つの巻線によって通常含まれる、かご形回転子（ｃａｔｅ  ｒｏｔｏｒ）及びコイル付きの固定子（ｓｔａｔｏｒ  ｗｉｔｈ  ｃｏｉｌｓ）を通常有する。
【０００６】
この点において、圧縮器の通常動作中、ギヤ巻線（ｇｅａｒ  ｗｉｎｄｉｎｇ）が交流電流によって給電される一方、起動巻線（ｓｔａｒｔｕｐ  ｗｉｎｄｉｎｇ）は、モータの動作の最初の瞬間のみ給電され、起動の動き（ｓｔａｒｔｕｐ  ｍｏｖｅｍｅｎｔ）の最初は、ローター（ｒｏｔｏｒ）を加速させる、より力（ｍｏｒｅ  ｆｏｒｃｅ）が必要である。したがって、モータは、一般的に計画した電圧の上又は下に１０パーセントより高くない変動見込み（ｐｏｓｓｉｂｌｅ  ｖａｒｉａｔｉｏｎ）の特定の限られた電圧の範囲内の動作用に特別に設計（ｄｅｓｉｇｎｅｄ）及び組立てられる。この変動が１０パーセントを越えた場合、モータの新しい計画及び創出が必要である。
【０００７】
したがって、この問題を解決する可能な試みは、デュアルボルテージシステムを考えつく文献で明らかになる。米国特許第４，４１５，９６４号明細書は、入力電圧にかかわらず、電圧出力を自動的に調節し、１１０Ｖでオンするときには並列な構成にコイルを変更するとき、出力変圧器のコイルの構成を修正することができるシステムを提供する計画を記載する。これにより、１１０Ｖの出力をもたらす。逆に、２２０Ｖでオンするときには直列な構成にコイルを変更する。これにより、１１０Ｖの出力を繰り返す。しかしながら、この制御の方法は、特定の電圧の全ての負荷の測定を制限し、オンされる負荷を制限することは別として、家庭用電気器具が使用されていないときでさえも、余分なエネルギー消費を生む変圧器を使用する。
【０００８】
最先端と考えられる他の情報は、上述の文献と同一の問題を有する直流出力の自動電圧制御システムを記載する米国特許第５，００１，６２３号明細書と、特定の位置の電圧が、出力電圧の変更又は制御なしに、動作する装置の期待した電圧か否かユーザに知らせることが可能で、入力電圧を示すシステムを記載する米国特許第７，５２８，７３４号明細書とを含む。
【発明の概要】
【発明が解決しようとする課題】
【０００９】
米国特許第５，００１，６２３号明細書及び米国特許第７，５２８，７３４号明細書に記載された解決策は、本発明と比べると、一時的な事象及び電源供給ラインの他の途絶に影響を受けやすく、高エネルギー消費、巨大な製造費用及び維持費用がかかる。
【００１０】
家庭用電気器具の制御は、単一の電圧源、家庭用電気器具の全ての装置を給電する変圧器を一般的に使用することを明らかにすることも価値がある。このように、変圧器は、特定の電圧で測定され、全ての装置は、変圧器の電圧の性能のために測定される。
【００１１】
家庭用電気器具は、電気負荷のセット（ｓｅｔ  ｏｆ  ｅｌｅｃｔｒｉｃａｌ  ｌｏａｄ）の全ての装置の起動を管理する電子制御システムを一般的に使用する。これらの装置の多くは、圧縮器のモータが冷蔵庫によって作動されるときにのみ生じる送風機（ｂｌｏｗｅｒ）の起動等の他の装置の起動との関連で作動される。しかしながら、これらの装置は、異なる電流レベルを有し、直列又は同一の電気回路の起動は、性能又は装置が焦げることに影響してもよい。
【００１２】
このように、制御システムは、装置の制御と、同時に作動される装置の起動とのためのいくつかの独立なコンセント（ｉｎｄｅｐｅｎｄｅｎｔ  ｏｕｔｌｅｔｓ）を一般的に有する。これは、家庭用電気器具の最終原価（ｆｉｎａｌ  ｃｏｓｔ）を引き上げ、より高価で高性能なプロセッサ（ｐｒｏｃｅｓｓｏｒ）の測定（ｍｅａｓｕｒｅｍｅｎｔ）をもたらす（ｒｅｓｕｌｔ  ｉｎ）。制御及び電力供給の電子部品は、家庭用電気器具の費用の大きな割合を頻繁に発生させることをさらに明らかにすることは、重要である。
【００１３】
したがって、本発明の目的は、システム制御の費用を減少させ、家庭用電気器具の供給の測定を減らし、モータに同時にスイッチされる給電装置の誘導モータのコイルを使用する電圧制御を実現することである。
【００１４】
さらに、本発明の別の目的は、余分なエネルギーの消費をもたらすエネルギーの貯蔵又は再生の原理なしに、ネットワークから生じ、装置に提供されるエネルギーの電圧制御を提供することである。
【００１５】
本発明は、入力電圧分圧器としてのコイルの結合を使用するときに、装置のデュアルボルテージ源として、既に現存する家庭用電気器具である電気モータを使用することも目的とする。最後に、本発明の最後の目的は、特定された目的に従って、方法、システム、又はモータを使用するように構成される家庭用電気器具を提供することである。
【課題を解決するための手段】
【００１６】
本発明の一つの実施形態は、家庭用電気器具のための制御システムを示し、制御システムは、少なくとも一つの入力電圧、一つの処理装置、出力スイッチの一つのセット、動作電圧を有する電気負荷の一つのセット、及び少なくとも二つのコイルを有する一つ電気モータを含む。処理装置は、処理装置によって検出された入力電圧を、電気モータのコイルの分圧を用いて電気負荷の動作電圧（ｏｐｅｒａｔｉｎｇ  ｖｏｌｔａｇｅ）に調節するように構成されることは別として、入力電圧を検出し、出力スイッチのセット（ｓｅｔ  ｏｆ  ｏｕｔｐｕｔ  ｓｗｉｔｃｈｅｓ）を作動させ、電気負荷のセットの装置の起動及び電気モータの起動を実行するように構成される。
【００１７】
本発明は、家庭用電気器具の制御システムを説明し、制御システムは、少なくとも一つの入力電圧、一つの処理装置、出力スイッチの一つのセット、動作電圧を有する電気負荷の一つのセット、及び少なくとも二つのコイルを有する一つの電気モータを含む。それは、電気負荷のセットの装置が、電気モータのコイルのうちの一つと電気的に結合され、起動のための電圧源としてコイルを使用する。
【００１８】
別の実施形態では、本発明は、少なくとも二つのコイルを有する少なくとも一つの電気モータを含む電気負荷のセットを有する家庭用電気器具の制御方法であって、入力電圧を検出するステップと、電気負荷のセットの装置の動作電圧を規定するステップと、電気負荷のセットの装置に対して検出された入力電圧を調節するステップと、電気負荷のセットの装置の起動と、電気モータの起動を実行するステップと、入力電圧を、電気モータのコイルの分圧を用いて電気負荷の動作電圧に調節するステップとを含む制御方法を示す。
【００１９】
この点について、本発明は、少なくとも二つのコイルを有する少なくとも一つの電気モータを含む電気負荷のセットを有する家庭用電気器具の制御方法であって、入力電圧を検出するステップと、電気負荷のセットの装置の動作電圧を規定するステップと、電気負荷のセットの装置に対して検出された入力電圧を調整するステップと、電気負荷のセットの装置を電気モータのコイルのコンセントに結合するステップと、電気モータのコイルのうちの一つをこれらの装置の起動のための電圧源として使用するように実行するステップとを含む制御方法も記述する。
【００２０】
さらに、本発明は、電気モータのコイルのうちの一つが電気負荷のセットの装置を給電するための電圧源として用いられる、家庭用電気器具の電気負荷のセットの給電装置のための少なくとも二つのコイルを有する電気モータの利用方法も示す。
【００２１】
最後に、本発明は、制御システム、制御方法、又は以前の規格（ｐｒｅｖｉｏｕｓ  ｓｐｅｃｉｆｉｃａｔｉｏｎｓ）に従って給電するための電気モータの利用方法を含む家庭用電気器具を説明する。
【図面の簡単な説明】
【００２２】
本発明は、図面で図示した実行の一例に基づいて、より詳細に説明される。
【図１】コイルが直列に結合した圧縮器のモータを示す。
【図２】コイルが並列に結合した圧縮器のモータを示す。
【図３】最先端の家庭用電気器具に従って、簡素化したシステムを示す。
【図４】本発明の好ましい実施形態に従って簡素化したシステムを説明するブロック図を示す。
【図５】本発明の第２の実施形態に従って簡素化したシステムを説明するブロック図を示す。
【発明を実施するための形態】
【００２３】
図１，２は、異なる電圧の動作を選択的に作動させるために、構造化できる構成要素を有する電気負荷を示す。この発明において、これらの負荷は、冷凍システムの圧縮器７のモータに一般的に対応する二つ以上のコイルを有する電気モータであることが好ましい。
【００２４】
システムによって用いられる圧縮器７のモータは、単相誘導モータであることが好ましい。それは、一つ以上のギヤ巻線、一つ以上の起動巻線、さらに好ましくは、一つのかご形回転子（ｃａｇｅ  ｒｏｔｏｒ）を有する少なくとも一つの固定子を含む。これらの誘導モータは、明確にされた設定に従って組立てができる、上述されていない他の種類とは別に、直列又は並列のいずれかに結合できる一つ以上のコイルを有し、可変速度で制御（ｃｏｎｔｒｏｌｌｅｄ  ｖａｒｉａｂｌｅ  ｓｐｅｅｄ）可能である。本発明で用いられるモータは、直列又は並列に構成できる二つの主要なコイルの構造、主要なコイルのうちの一つに並列に組立てられる一つの作動補助コイルを含む、Ｔ設定（Ｔ−ｃｏｎｆｉｇｕｒａｔｉｏｎ）も有する。
【００２５】
したがって、図１は、直列の電気モータの主要なコイルの結合を有する。結合のこの方法は、一般的に２２０Ｖの値の入力電圧１のために、入力電圧１が家庭用電気器具の装置の動作電圧の値の２倍の値を有するときに用いられる。入力電圧１が電気モータのコイルのうちの少なくとも二つに分割されることを明らかにすることは、価値がある。これにより、コイルの一つのコンセントの装置の動作電圧の値、通常１１０Ｖ、すなわち、Ｃ負荷（Ｃ  ｌｏａｄ）の公称電圧（ｎｏｍｉｎａｌ  ｖｏｌｔａｇｅ）という結果になる。よって、電気モータのコイルのうちの一つにおいて、Ｃ負荷は、結合され、それらは、コイルを分圧器として使用する。したがって、公称電圧は、動作電圧が電気モータのコイルの間で分圧してＣ負荷に供給されると、Ｃ負荷に供給される。
【００２６】
逆に、図２は、並列の電気モータのコイルの結合を示す。この結合の方法は、入力電圧１が、家庭用電気器具の装置の動作電圧の値、一般的に１１０Ｖの値の入力電圧１にほぼ均等な値を有するときに用いられる。したがって、入力電圧１が電気モータのコイルのうちの少なくとも二つと同一であることを明らかにすることは、価値がある。これにより、コイルのうちの一つのコンセントの装置の動作電圧の値、通常１１０Ｖになるという結果となる。図１と同様に、電気モータのコイルのうちの一つにおいて、Ｃ負荷は結合され、それらは、コイルを分圧器として使用する。よって、定動作電圧は、負荷に印加される入力電圧１にかかわらず、Ｃ負荷に供給される。
【００２７】
図３は、家庭用電気器具システムによって一般的に用いられる制御方法を図示する。この点について、制御システムは、アナログ回路を通した処理もできる処理装置３の動作のためのエネルギーを供給できる直流電源（ｄｉｒｅｃｔ  ｃｕｒｒｅｎｔ  ｓｕｐｐｌｙ）２を給電する入力電圧１を含む。したがって、処理装置３は、入力電圧１で給電される、電気機械スイッチ（継電器（ｒｅｌａｙ）又はソレノイド（ｓｏｌｅｎｏｉｄｓ）等）又は電子的に制御可能なスイッチ（静止スイッチ（ｓｔａｔｉｃ  ｓｗｉｔｃｈ）、ＴＲＩＡＣｓ、又はトランジスタ等）、機械的に制御可能なスイッチ、又は固定スイッチを含むことが好ましい、出力スイッチ４のセットを選択的に作り直す（ｗｏｒｋ  ｏｖｅｒ）ことができる。
【００２８】
このように、圧縮器７、ランプ８、凍結融解抵抗性を含む抵抗９のセット、ドアの開け閉めのためのモータ又はダンパー（ｄａｍｐｅｒ）等に応用される小型の他のモータ１０、送風機１１、又はタイマー又はセンサー等の他のシステム１２は、起動のために同一の入力電圧源１を使用する。別に、処理装置は、作動される装置に関連付けられた出力スイッチのうちの一つのそれぞれの特定のコンセントを必要とする。
【００２９】
図４は、入力電圧１を含み、直流電源２を給電する、本発明の好ましい制御方法を示す。直流電源２は、処理装置３の動作のためのエネルギーを供給できる。システムは、入力電圧１の直接的な検出又は間接的な検出を特徴とする。直接検出モジュールにおいて、処理装置３は、入力電圧１に直接的に接続され、アナログ・デジタル変換センサーを一般的に使用するように構成される。しかしながら、図４は、間接的な検出モジュールを示す。入力電圧１が入力電圧１の大きさを検出するネットワークセンサー６も以前に給電し、この情報を分析のために処理装置３に提供する。これにより、処理装置は、入力電圧１の値の計算及び規定に依然として関与したままである。
【００３０】
さらに、処理装置３は、出力スイッチ４のセットを選択的に動作させることができ、入力電圧１によっても給電される。出力スイッチ４のセットは、電気負荷５のセットの装置が検出した入力電圧１の動作のために、より適切に構造化されるように、動作できる。処理装置３は、入力電圧１を検出し、入力電圧が装置の動作電圧の約２倍の値（一般的に２２０Ｖ）を有することを検出した場合、圧縮器７のモータのコイルを直列に結合する。結果的に、検出した電圧が、おおよそ装置の動作電圧に相当する値（一般的に１１０Ｖ）を有する場合、圧縮器７のモータのコイルを並列に結合する。
【００３１】
本発明は、圧縮器７と同時に作動される装置の電圧制御によって特に差別化される。コイルの結合の制御に起因して、圧縮器７のモータの任意のコイルの電圧は、常に、おおよそ装置の動作電圧の値になる。したがって、装置は、圧縮器７のコイルのうちの一つに直接関連付けられている二つのピンを有する、五つのピンの密閉型端子（ｈｅｒｍｅｔｉｃ  ｔｅｒｍｉｎａｌ）を用いた本発明に好ましい、圧縮器７のコイルのうちの一つに並列に直接接続できる。この点について、この起動（ａｃｔｉｖａｔｉｏｎ）を使用してもよい装置の例は、圧縮器の全ての稼働中及び起動中のみに作動される、送風機１１、センサー、及びタイマーである。
【００３２】
このように、処理装置３は、システムの費用を低減させる、入力電圧源１の小さい大きさ（ｌｏｗｅｒ  ｄｉｍｅｎｓｉｏｎｉｎｇ  ｏｆ  ｔｈｅ  ｉｎｐｕｔ  ｖｏｌｔａｇｅ  ｓｕｐｐｌｙ  １）及び出力スイッチ４なしの可能性に加えて、電気負荷５のセットの装置の制御のためのコンセントの必要がないことを明らかにすることは、価値がある。
【００３３】
同様に、図５は、直流電源２を給電する入力電圧１を含む本発明の第２の制御方法を示す。直流電源は、処理装置３の動作のためのエネルギーを供給できる。処理装置が広範囲の作動範囲（一般的に９０Ｖ〜２６０Ｖ）の入力電圧１に直接接続され、入力電圧１の値の計算及び規定に責任のあるように構成されると、図５のシステムは、入力電圧１の直接的な検出を有する。
【００３４】
処理装置３は、入力電圧１によって給電される出力スイッチ４のセットを選択的に作動できる。したがって、出力スイッチ４のセットは、電気負荷５のセットの装置が検出した入力電圧１の動作に対して最も適切な方法で構造化されるように、動作可能である。さらに、処理装置は、出力スイッチ１３の第２のセットを選択的に作動できる。出力スイッチ１３の第２のセットは、入力電圧によって給電されないものの、圧縮器７のコイルのうちの一つによって実際には給電される。したがって、それらは、出力スイッチ４のセットのスイッチよりも低い電圧に対して大きさが定められる（ｄｉｍｅｎｓｉｏｎｅｄ  ｆｏｒ）。よって、装置は、起動が圧縮器７の起動に直接関連がないように、処理装置３によって制御される出力スイッチを有することに加えて、密閉型端子を用いて圧縮器７のコイルのうちの一つに並列に直接接続できる。この点について、ダンパー、ドアの開け閉めのためのモータ１０を含む起動を使用する装置の例は、以前、圧縮器７が機能しているときに、装置が作動されなければならないものの、圧縮器７の全体の起動の間中、必ずしも機能しない。
【００３５】
図５に示されているように、本発明は、より壊れやすい装置の電圧の２倍で動作するために、ランプ及び抵抗等のより強いシステムの大きさを定める（ｄｉｍｅｎｓｉｏｎ）ことができることを明らかにすることは価値がある。このように、処理装置３は、入力電圧１を検出し、入力電圧１が装置の動作電圧の約２倍の値（一般的に２２０Ｖ）を有する場合、圧縮器７のモータのコイルを直列に結合し、圧縮器のコイルのうちの一つに接続された装置の通常の動作電圧（一般的に１１０Ｖ）を保持する。検出した電圧がおおよそ装置の動作電圧（一般的に１１０Ｖ）である場合、処理装置３は、圧縮器７のモータのコイルを並列に結合し、圧縮器のコイルのうちの一つに接続された装置の通常の動作電圧（一般的に１１０Ｖ）を保持する。一方、抵抗及びランプ等のこの電圧の２倍で定められたより強いシステムは、より低い効率性で機能し続ける。
【００３６】
このように、本発明の制御で提案した構造は、変化のほとんどない効率的な動作電圧で装置を提供する、自動分圧器として動作し、デュアルボルテージシステム（ｄｕａｌ  ｖｏｌｔａｇｅ  ｓｙｓｔｅｍ）（一般的に９０〜１２７Ｖ及び２２０〜２６０Ｖ）に用いられる。負荷に提供されるエネルギーは、最先端の文献で用いられる変圧器等の余分なエネルギー消費をもたらすエネルギーの貯蔵原理又は再生原理を有さない、ネットワークから入力電圧１を通してもたらされる。圧縮器のコイルのうちの一つを有する従来の負荷（単相交流（ｓｉｎｇｌｅ−ｐｈａｓｅ  ＡＣ））の接続（ａｓｓｏｃｉａｔｉｏｎ）は、装置の動作電圧のレベルを、入力電圧１の完全な値又は半分の値に調節するという一つの目的を有する。これにより、デュアルボルテージシステムへの応用が可能となる。
【００３７】
しかしながら、圧縮器７のコイルのうちの一つを電圧源として使用する装置は、圧縮器７の電圧及び電流に影響しないように大きさが定められなければならない（ｍｕｓｔ  ｂｅ  ｄｉｍｅｎｓｉｏｎｅｄ）ことを明らかにすることは重要である。それらは、トルク（ｔｏｒｑｕｅ）の損失に起因して、制御又は回転子の固定の失敗を引き起こしてもよい。したがって、装置は、圧縮器のコイルと比較すると高い電力を有することができず、電流は、圧縮器の性能を弱める程度に増加される。
【００３８】
本発明は、冷蔵庫、冷凍庫、空調装置、洗濯機に一般的に適応される。
【００３９】
好ましい実施形態の例の説明後、本発明の範囲が均等の可能性も含まれる添付した請求項の内容によってのみ限定され、他の可能なバリエーションを包含することが理解される。
【図１】
2014532389.tif 000003
【図２】
2014532389.tif 000004
【図３】
2014532389.tif 000005
【図４】
2014532389.tif 000006
【図５】
2014532389.tif 000007
【手続補正書】
【提出日】平成26年5月8日(2014.5.8)
【手続補正１】
【補正対象書類名】明細書
【補正対象項目名】０００７
【補正方法】変更
【補正の内容】
【０００７】
したがって、この問題を解決する可能な試みは、デュアルボルテージシステムを考えつく文献で明らかになる。米国特許第４，４１５，９６４号明細書は、入力電圧にかかわらず、電圧出力を自動的に調節し、１１０Ｖでオンするときには並列な構成にコイルを変更するとき、出力変圧器のコイルの構成を修正することができるシステムを提供する計画を記載する。これにより、１１０Ｖの出力をもたらす。逆に、２２０Ｖでオンするときには直列な構成にコイルを変更する。これにより、１１０Ｖの出力を繰り返す。しかしながら、この制御の方法は、特定の電圧の全ての負荷の測定を制限し、オンされる負荷を制限することは別として、家庭用電気器具が使用されていないときでさえも、余分なエネルギー消費を生む変圧器を使用する。
さらに、米国特許第２，２０８，３９６号明細書は、特に、冷凍装置に関連したデュアルボルテージ装置を記載する。文献には、１１０Ｖから２２０Ｖの配置（ｃｏｎｆｉｇｕｒａｔｉｏｎ）への手動整流（ｍａｎｕａｌｌｙ  ｃｏｍｍｕｔａｔｉｏｎ）の可能性が記載されている。さらに、それは、上述の不利益を有する単巻変圧器（ａｕｔｏ−ｔｒａｎｓｆｏｒｍｅｒ）を使用する。米国特許第２，２０８，３９６号明細書は、モータ圧縮器巻線（ｍｏｔｏｒ  ｃｏｍｐｒｅｓｓｏｒ  ｗｉｎｄｉｎｇ）に接続された補助送風機モータ（ａｕｘｉｌｉａｒｙ  ｆａｎ  ｍｏｔｏｒ）も開示する。しかしながら、圧縮器がオンのときに、処理装置及び付加的な制御負荷の方法が、作動される必要のない圧縮器コイルに接続することは、開示されていない。
【手続補正２】
【補正対象書類名】特許請求の範囲
【補正対象項目名】全文
【補正方法】変更
【補正の内容】
【特許請求の範囲】
【請求項１】
家庭用電気器具の制御システムであって、
一つの入力電圧（１）と、
一つの処理装置（３）と、
出力スイッチ（４）の一つのセットと、
動作電圧を有する電気負荷（５）の一つのセットと、
少なくとも二つのコイルを有する一つの電気モータと、
を含み、
前記処理装置（３）は、前記入力電圧（１）を検出し、前記電気負荷（５）のセットの装置の起動及び前記電気モータの起動を実行するために、前記出力スイッチ（４）のセットを選択的に作動させるように構成され、
前記処理装置（３）は、前記処理装置（３）が検出した前記入力電圧（１）を、前記電気モータのコイルの分圧を用いて前記電気負荷（５）のセットの装置の動作電圧に調節するように構成され、
前記電気負荷（５）のセットの装置のうちの少なくとも一つは、前記電気モータのコイルのうちの一つに電気的に結合され、コイルを電圧源として使用することを特徴とする家庭用電気器具の制御システム。
【請求項２】
前記処理装置（３）は、前記の検出した入力電圧（１）が装置の動作電圧の約２倍であるときには直列に、前記の検出した入力電圧（１）がおおよそ装置の動作電圧の値であるときには並列に、前記電気モータのコイルを結合することを特徴とする請求項１に記載の家庭用電気器具の制御システム。
【請求項３】
前記処理装置（３）は、前記の検出した入力電圧が約２２０Ｖであるときには直列に、前記の検出した入力電圧（１）が約１１０Ｖであるときには並列に、前記電気モータのコイルを結合することを特徴とする請求項１に記載の家庭用電気器具の制御システム。
【請求項４】
前記処理装置（３）は、９０Ｖ〜２６０Ｖの入力電圧の範囲内で動作するように構成されることを特徴とする請求項１〜３のいずれか一項に記載の家庭用電気器具の制御システム。
【請求項５】
前記処理装置（３）は、前記入力電圧（１）を、前記電気負荷（５）のセットの装置のうちのそれぞれに９０Ｖ〜１２７Ｖの動作電圧に調節するために、前記出力スイッチ（４）のセットを作動させることを特徴とする請求項１〜４のいずれか一項に記載の家庭用電気器具の制御システム。
【請求項６】
前記処理装置は、出力スイッチ（１３）の第２のセットを選択的に動作させるように構成されることを特徴とする請求項１〜５のいずれか一項に記載の家庭用電気器具の制御システム。
【請求項７】
前記出力スイッチ（１３）の第２のセットは、前記処理装置（３）によって制御されることを特徴とする請求項６に記載の家庭用電気器具の制御システム。
【請求項８】
前記電気モータは、密閉型端子の電気モータであることを特徴とする請求項１に記載の家庭用電気器具の制御システム。
【請求項９】
少なくとも二つのコイルを有する少なくとも一つの電気モータを含む電気負荷（５）のセットを有する家庭用電気器具の制御方法であって、
一つの入力電圧（１）を検出するステップと、
前記電気負荷（５）のセットの装置の動作電圧を規定するステップと、
を含み、
前記電気負荷（５）のセットの装置に対して前記の検出した入力電圧（１）を調節するステップと、
前記電気負荷（５）のセットの装置の起動及び前記電気モータの起動を選択的に実行するステップと、
前記入力電圧（１）を、前記電気モータのコイルの分圧を用いて前記電気負荷（５）の装置の動作電圧に調節するステップと、
前記電気負荷（５）のセットの少なくとも一つの装置を前記電気モータのコイルに結合するステップと、
前記電気モータのコイルのうちの一つを、これらの装置の起動のための電圧源として使用するために、動作するステップと、
を含むことを特徴とする家庭用電気器具の制御方法。
【請求項１０】
前記装置の起動を選択的に実行するステップは、前記の検出した入力電圧（１）が装置の動作電圧の値の約２倍であるときには直列に、前記の検出した入力電圧（１）がおおよそ装置の動作電圧の値であるときには並列に、前記電気モータのコイルを結合することを特徴とする請求項９に記載の家庭用電気器具の制御方法。
【請求項１１】
前記装置の起動を選択的に実行するステップは、前記の検出した入力電圧（１）が約２２０Ｖのときには直列に、前記の検出した入力電圧（１）が約１１０Ｖのときには並列に、前記電気モータのコイルを結合することを特徴とする請求項９に記載の家庭用電気器具の制御方法。
【請求項１２】
前記装置の起動を選択的に実行するステップは、９０Ｖ〜２６０Ｖの範囲の入力電圧（１）で動作することを特徴とする請求項１０又は１１に記載の家庭用電気器具の制御方法。
【請求項１３】
前記装置の起動を選択的に実行するステップは、前記入力電圧（１）を、電気負荷（５）のセットの装置のそれぞれに９０Ｖ〜１２７Ｖの動作電圧に調節するために動作することを特徴とする請求項１０〜１２のいずれか一項に記載の家庭用電気器具の制御方法。
【請求項１４】
処理装置（３）は、出力スイッチ（１３）の第２のセットを選択的に作動させることを特徴とする請求項９〜１３のいずれか一項に記載の家庭用電気器具の制御方法。
【請求項１５】
前記電気モータは、密閉型圧縮器の電気モータであることを特徴とする請求項１に記載の家庭用電気器具の制御方法。
【請求項１６】
家庭用電気器具の電気負荷（５）のセットの給電装置の少なくとも二つのコイルを有し、密閉型圧縮器の電気モータの利用方法であって、前記電気モータのコイルのうちの一つは、前記電気負荷（５）のセットの装置の給電のための電圧源として用いられ、出力スイッチ（１３）の第２のセットに接続するためにも用いられることを特徴とする利用方法。
【請求項１７】
家庭用電気器具は、入力電圧（１）及び前記入力電圧（１）を検出する手段を含み、
前記の検出した入力電圧（１）が装置の動作電圧の値の約２倍であるときには直列に、前記の検出した入力電圧（１）がおおよそ装置の動作電圧の値であるときには並列に、前記電気モータのコイルを結合することを特徴とする請求項１６に記載の家庭用電気器具の給電装置の密閉型圧縮器の電気モータの利用方法。
【請求項１８】
家庭用電気器具は、入力電圧（１）及び前記入力電圧（１）を検出する手段を含み、
前記の検出した入力電圧（１）が約２２０Ｖであるときには直列に、前記の検出した入力電圧（１）が１１０Ｖであるときには並列に、前記電気モータのコイルを結合することを特徴とする請求項１６に記載の家庭用電気器具の密閉型圧縮器の給電装置の電気モータの利用方法。
【請求項１９】
９０Ｖ〜２６０Ｖの範囲の前記入力電圧（１）で動作することを特徴とする請求項１７又は１８に記載の家庭用電気器具の給電装置の密閉型圧縮器の電気モータの利用方法。
【請求項２０】
前記入力電圧（１）を、前記電気負荷（５）のセットの装置のそれぞれに９０Ｖ〜１２７Ｖの動作電圧に調節するために動作することを特徴とする請求項１７〜１９のいずれか一項に記載の家庭用電気器具の給電装置の密閉型圧縮器の電気モータの利用方法。
【請求項２１】
請求項１〜８のいずれか一項に記載の制御システム、請求項９〜１５のいずれか一項に記載の制御方法、又は請求項１６〜２０のいずれか一項に記載の給電のための電気モータの利用方法を含むことを特徴とする家庭用電気器具。
【請求項２２】
冷蔵庫、冷凍庫、空調装置、又は洗濯機であることを特徴とする請求項２１に記載の家庭用電気器具。
【国際調査報告】
2014532389.tif 000008
2014532389.tif 000009